(57)【特許請求の範囲】
【請求項１】
ファンおよびエバポレータが内蔵されているユニット本体の下面側を、下部カバーにより覆っている輸送用冷凍装置のエバポレータユニットにおいて、
前記下部カバーの下面の内面側の所定箇所および該所定箇所と対向する前記ユニット本体の下面側の対応位置のいずれか一方に、磁石が固定配置され、他方に、前記磁石により磁気吸着可能な金属製受板が固定配置され、
前記下部カバーの前面部位および後面部位は、前記下部カバーの内面側の所定箇所で前記ユニット本体側にステーおよびボルトを介して固定されていることを特徴とする輸送用冷凍装置のエバポレータユニット。
【請求項２】
ファンおよびエバポレータが内蔵されているユニット本体の下面側を、下部カバーにより覆っている輸送用冷凍装置のエバポレータユニットにおいて、
前記下部カバーの下面の内面側の所定箇所および該所定箇所と対向する前記ユニット本体の下面側の対応位置のいずれか一方に、磁石が固定配置され、他方に、前記磁石により磁気吸着可能な金属製受板が固定配置され、
前記下部カバーの前面部位および後面部位は、前記下部カバーの内面側の所定箇所で前記ユニット本体側に第２および第３の磁石を介して磁気吸着されることにより固定されていることを特徴とする輸送用冷凍装置のエバポレータユニット。
【請求項３】
前記第２および第３の磁石は、前記下部カバー側に固定配置されており、前記ユニット本体側に固定配置されている受板兼ストッパーに対して磁気吸着可能とされていることを特徴とする請求項２に記載の輸送用冷凍装置のエバポレータユニット。
【請求項４】
前記金属製受板および／または前記受板兼ストッパーは、ＳＵＳ材製とされていることを特徴とする請求項１ないし３のいずれかに記載の輸送用冷凍装置のエバポレータユニット。
【請求項５】
前記磁石は、樹脂材によって被覆されていることを特徴とする請求項１ないし４のいずれかに記載の輸送用冷凍装置のエバポレータユニット。
【請求項６】
前記ユニット本体および／または前記下部カバーは、前記金属製受板および／または前記受板兼ストッパーを除いて非磁性材料製とされていることを特徴とする請求項１ないし５のいずれかに記載の輸送用冷凍装置のエバポレータユニット。
【請求項７】
前記下部カバーには、その外表面にインシュレーションが貼り付けられていることを特徴とする請求項１ないし６のいずれかに記載の輸送用冷凍装置のエバポレータユニット。
【発明の詳細な説明】
【技術分野】
【０００１】
本発明は、内部にファンおよびエバポレータが内蔵されている輸送用冷凍装置のエバポレータユニットに関するものである。
【背景技術】
【０００２】
冷凍車両に搭載される輸送用冷凍装置では、ファンおよびエバポレータが内蔵されているエバポレータユニットをバンボティ内に架装し、ファンを介してバンボティ内の空気をエバポレータに流通させることによってバンボティ内を冷却している。このエバポレータユニットは、外表面が樹脂製あるいは板金製のカバーにより覆われており、例えば後方面に設けられている空気吸込み口から吸込んだバンボティ内空気を、エバポレータを通して冷却した後、前方面に設けられている空気吹出し口からバンボティ内に吹出す構成とされている。
【０００３】
上記カバーは、ユニット本体に対して外表面側からボルト止めされており、冷却運転中にはバンボティ内空気と共に冷却されている。このため、荷物の集配送中に、バンボティの扉が開放されると、湿気を含んだ外気がバンボティ内に流入され、その空気が冷却されているカバーやボルト等の表面と接触することによって、結露が発生することがある。特に、カバー表面での結露水がその表面から突出しているボルト頭部に集まり、そこから積荷上に滴下すると、積荷を損傷する虞があった。
【０００４】
カバー表面での結露を防止するため、発泡ポリエチレン等の断熱機能を有するインシュレーションを貼り付けたりしているが、ボルト頭部については、結露水の滴下を防止することはできなかった。そこで、特許文献１に示されるように、ユニット本体の下面側を覆うカバーを、その内面側に設けられている面ファスナ（例えば、ベルクロファスナまたはマジックテープと称されているもの；いずれも登録商標）を介してユニット本体側に固定するようにし、カバーの外表面からボルトやビスの頭部を突出させない構成としたものが提案されている。
【先行技術文献】
【特許文献】
【０００５】
【特許文献１】特開２００８−２０２９１２号公報
【発明の概要】
【発明が解決しようとする課題】
【０００６】
しかしながら、上記特許文献１のように、面ファスナを用いたものでは、経時劣化により剥がれたり、振動衝撃により離脱したりする虞があるとともに、カバー取付け時にしっかりと固定されたか否かが確認し難い等、信頼性の面で課題があった。このため、ボルト止めに頼っているのが実情であり、カバー自体の断熱性を高め、ボルト頭部からの結露水の滴下を極力抑制することにより対応しているが、カバー自体の断熱性を高めると、それがコストアップ要因となる等の問題を含んでいた。
【０００７】
本発明は、このような事情に鑑みてなされたものであって、ユニット本体の下面を覆うカバーをボルト止めすることなく、ユニット本体側に確実に固定可能することにより、結露水の滴下等を抑制することができる輸送用冷凍装置のエバポレータユニットを提供することを目的とする。
【課題を解決するための手段】
【０００８】
上記した課題を解決するために、本発明の輸送用冷凍装置のエバポレータユニットは以下の手段を採用する。
すなわち、本発明にかかる輸送用冷凍装置のエバポレータユニットは、ファンおよびエバポレータが内蔵されているユニット本体の下面側を、下部カバーにより覆っている輸送用冷凍装置のエバポレータユニットにおいて、前記下部カバーの下面の内面側の所定箇所および該所定箇所と対向する前記ユニット本体の下面側の対応位置のいずれか一方に、磁石が固定配置され、他方に、前記磁石により磁気吸着可能な金属製受板が固定配置され、前記下部カバーの前面部位および後面部位は、前記下部カバーの内面側の所定箇所で前記ユニット本体側にステーおよびボルトを介して固定されていることを特徴とする。
【０００９】
本発明によれば、ユニット本体の下面側を下部カバーにより覆っている輸送用冷凍装置のエバポレータユニットにおいて、下部カバーの下面の内面側の所定箇所および該所定箇所と対向するユニット本体の下面側の対応位置のいずれか一方に、磁石が固定配置され、他方に、磁石により磁気吸着可能な金属製受板が固定配置され、前記下部カバーの前面部位および後面部位は、前記下部カバーの内面側の所定箇所で前記ユニット本体側にステーおよびボルトを介して固定されているため、下部カバーの下面をユニット本体の下面側に対し、磁石と金属製受板とを互いに磁気吸着させることによって固定することができるとともに、その下部カバーの前面部位および後面部位を下部カバー内面側の所定箇所でユニット本体側に、ステーおよびボルトを介して固定することにより、下部カバーを下面、前面および後面の３面でユニット本体側にしっかりと固定することができ、しかも前面および後面を固定するボルトが、下部カバーの内面側に配置されていることから、仮にボルト頭部で結露が発生したとしても、その結露水を下部カバーの内面側に滴下させることができる。従って、下部カバーの下面を外面側からボルト等でユニット本体の下面側に固定する必要がなく、下部カバーの外表面側での結露の発生やその結露水のボルト頭部から積荷上への滴下を確実に防止し、積荷を結露水から保護することができるとともに、下部カバー表面からボルトをなくすることで外観の見映えを向上することができる。また、磁石による固定のため、経時劣化で下部カバーが脱落したり、想定以上の振動衝撃等により吸着面が浮き上っても、再吸着されることから離脱したままとなったりする心配がなく、下部カバーを確実に固定でき、固定構造としての信頼性を確保することができる。
【００１０】
さらに、本発明にかかる輸送用冷凍装置のエバポレータユニットは、ファンおよびエバポレータが内蔵されているユニット本体の下面側を、下部カバーにより覆っている輸送用冷凍装置のエバポレータユニットにおいて、前記下部カバーの下面の内面側の所定箇所および該所定箇所と対向する前記ユニット本体の下面側の対応位置のいずれか一方に、磁石が固定配置され、他方に、前記磁石により磁気吸着可能な金属製受板が固定配置され、前記下部カバーの前面部位および後面部位は、前記下部カバーの内面側の所定箇所で前記ユニット本体側に第２および第３の磁石を介して磁気吸着されることにより固定されていることを特徴とする。
【００１１】
本発明によれば、ユニット本体の下面側を下部カバーにより覆っている輸送用冷凍装置のエバポレータユニットにおいて、下部カバーの下面の内面側の所定箇所および該所定箇所と対向するユニット本体の下面側の対応位置のいずれか一方に、磁石が固定配置され、他方に、磁石により磁気吸着可能な金属製受板が固定配置され、前記下部カバーの前面部位および後面部位は、前記下部カバーの内面側の所定箇所で前記ユニット本体側に第２および第３の磁石を介して磁気吸着されることにより固定されているため、下部カバーの下面をユニット本体の下面側に対して、磁石と金属製受板とを互いに磁気吸着させることにより固定することができるとともに、その下部カバーの前面部位および後面部位を下部カバーの内面側の所定箇所でユニット本体側に第２および第３の磁石を介して磁気吸着させて固定することにより、下部カバーを下面、前面および後面の３面でユニット本体側にしっかりと固定することができ、しかも下部カバーを磁石の磁気吸着のみにより固定できることから、下部カバーの固定をボルトレス化することができる。従って、下部カバーの下面を外面側からボルト等でユニット本体の下面側に固定する必要がなく、下部カバーの外表面側での結露の発生やその結露水のボルト頭部から積荷上への滴下を確実に防止し、積荷を結露水から保護することができる。また、下部カバー表面からボルトをなくすることで外観の見映えを向上することができるとともに、下部カバーのメンテナンス時の着脱等を工具無しで行うことができる。更に、磁石による固定のため、経時劣化で下部カバーが脱落したり、想定以上の振動衝撃等により吸着面が浮き上っても、再吸着されることから離脱したままとなったりする心配がなく、下部カバーを確実に固定でき、固定構造としての信頼性を確保することができる。
【００１２】
さらに、本発明の輸送用冷凍装置のエバポレータユニットは、上記の輸送用冷凍装置のエバポレータユニットにおいて、前記第２および第３の磁石は、前記下部カバー側に固定配置されており、前記ユニット本体側に固定配置されている受板兼ストッパーに対して磁気吸着可能とされていることを特徴とする。
【００１３】
本発明によれば、第２および第３の磁石が、下部カバー側に固定配置されており、ユニット本体側に固定配置されている受板兼ストッパーに対して磁気吸着可能とされているため、下部カバーに想定以上の振動、衝撃等が加わることにより、万が一磁石の吸着面が浮き上ったとしても、磁石を受板兼ストッパーで受け止めて再吸着させることができる。従って、下部カバーをユニット本体側に磁石の吸着力のみで確実に固定することができ、ボルトレス化することができる。
【００１４】
さらに、本発明の輸送用冷凍装置のエバポレータユニットは、上述のいずれかの輸送用冷凍装置のエバポレータユニットにおいて、前記金属製受板および／または前記受板兼ストッパーは、ＳＵＳ材製とされていることを特徴とする。
【００１５】
本発明によれば、金属製受板および／または受板兼ストッパーが、ＳＵＳ材製とされているため、下部カバーを熱伝導率の低いＳＵＳ材製の金属製受板および／または受板兼ストッパーを介してユニット本体側に固定することができ、ユニット本体側から下部カバー側への熱伝導を遮断し、抑制することができるとともに、錆びの発生を抑制することができる。従って、下部カバーに対する断熱性を高め、その外表面での結露の発生を抑えることできる。また、下部カバー自体の断熱特性を低下させ、コスト低減を図ることができるとともに、錆の発生を防止して商品性の向上を図ることができる。
【００１６】
さらに、本発明の輸送用冷凍装置のエバポレータユニットは、上述のいずれかの輸送用冷凍装置のエバポレータユニットにおいて、前記磁石は、樹脂材によって被覆されていることを特徴とする。
【００１７】
本発明によれば、磁石が、樹脂材によって被覆されているため、下部カバーを熱伝導率の低い樹脂材で被覆されている磁石を介してユニット側に固定することができ、ユニット本体側から下部カバー側への熱伝導を遮断し、抑制することができる。従って、下部カバーに対する断熱性を高め、その外表面での結露の発生を抑えることできるとともに、カバー自体の断熱特性を低下させることによってコスト低減を図ることができる。
【００１８】
さらに、本発明の輸送用冷凍装置のエバポレータユニットは、上述のいずれかの輸送用冷凍装置のエバポレータユニットにおいて、前記ユニット本体および／または前記下部カバーは、前記金属製受板および／または前記受板兼ストッパーを除いて非磁性材料製とされていることを特徴とする。
【００１９】
本発明によれば、ユニット本体および／または下部カバーが、金属製受板および／または受板兼ストッパーを除いて非磁性材料製とされているため、例えばアルミ合金材等の非磁性材料製とされているユニット本体および／または下部カバーの金属製受板および／または受板兼ストッパー以外の部分が、下部カバーの着脱時に、磁石と磁気吸着されてしまうことがない。従って、下部カバーを着脱する際において、その位置決めを容易化することができる。
【００２０】
さらに、本発明の輸送用冷凍装置のエバポレータユニットは、上述のいずれかの輸送用冷凍装置のエバポレータユニットにおいて、前記下部カバーには、その外表面にインシュレーションが貼り付けられていることを特徴とする。
【００２１】
本発明によれば、下部カバーの外表面に、インシュレーションが貼り付けられているため、下部カバー側に磁石を配設したとしても、インシュレーションによって磁石と下部カバー外表面との間の距離を確保し、下部カバーの外表面側での磁力を低下させることが可能となる。従って、下部カバー外表面への鉄粉等のゴミの磁気吸着を防止することができるとともに、万が一ゴミが吸着された場合でも、その清掃を容易化することができる。
【発明の効果】
【００２２】
本発明によると、下部カバーの下面をユニット本体の下面側に対して、磁石と金属製受板とを互いに磁気吸着させることによって固定することができるとともに、その下部カバーの前面部位および後面部位を下部カバーの内面側の所定箇所でユニット本体側にステーおよびボルトまたは第２および第３の磁石を介して固定し、下面、前面および後面の３面でしっかり固定することができるため、下部カバーの下面を外面側からボルト等でユニット本体の下面側に固定する必要がなく、ボルト頭部からの結露水の滴下を防止して積荷を結露水から保護することができるとともに、下部カバー表面からボルトをなくすることによって外観の見映えを向上することができる。また、磁石による固定のため、経時劣化で下部カバーが脱落したり、想定以上の振動衝撃等により吸着面が浮き上っても、再吸着されることから離脱したままとなったりする心配がなく、下部カバーを確実に固定でき、固定構造としての信頼性を確保することができる。
【図面の簡単な説明】
【００２３】
【図１】本発明の第１実施形態に係る輸送用冷凍装置のエバポレータユニットを搭載した冷凍車両の外観斜視図である。
【図２】図１に示す輸送用冷凍装置のエバポレータユニットの外観斜視図である。
【図３】図２に示すエバポレータユニットの架装状態での縦断面図である。
【図４】図３に示すエバポレータユニットの下面側を覆っている下部カバーの固定構造を示す縦断面図である。
【図５】図４に示す下部カバーの磁石による固定部位の拡大縦断面図である。
【図６】図４に示す下部カバーを固定する磁石の平面図（Ａ）、正面図（Ｂ）および右側面図（Ｃ）である。
【図７】本発明の第２実施形態に係る下部カバーの前面側の固定構造を示す縦断面図である。
【図８】本発明の第２実施形態に係る下部カバーの後面側の固定構造を示す縦断面図である。
【発明を実施するための形態】
【００２４】
以下に、本発明にかかる実施形態について、図面を参照して説明する。
［第１実施形態］
以下、本発明の第１実施形態について、図１ないし図６を用いて説明する。
図１には、本発明の第１実施形態に係る輸送用冷凍装置のエバポレータユニットを搭載した冷凍車両の外観斜視図が示され、図２には、そのエバポレータユニットの外観斜視図が示され、図３には、エバポレータユニットの架装状態での縦断面図が示されている。
冷凍車両１は、キャビン２の後方にバンボディ３が搭載された構成とされ、該バンボディ３の前方部には、その内部に積載される荷物を冷却（保冷）するための冷凍装置（輸送用冷凍装置）４が搭載されている。
【００２５】
この輸送用冷凍装置４は、バンボディ３の庫内側に架装されるエバポレータユニット５と、バンボディ３の前面壁側に架装されるコンデンシングユニット６とにセパレートされており、両ユニット５，６は公知の如く冷媒配管を介して接続されている。本実施形態では、エバポレータユニット５として、様々なタイプがある中、バンボディ３の天井面に架装されるものが示されている。また、コンデンシングユニット６としては、バンボディ３の前面壁上部に架装されるものが示されている。なお、エバポレータユニット５およびコンデンシングユニット６は、これらに限定されるものではない。
【００２６】
エバポレータユニット５は、図２に示されるように、厚さ方向寸法が薄くされている横長直方体形状とされたユニット本体１０を有している。ユニット本体１０は、骨組みを構成する図示省略のフレーム構造や仕切り壁等を備え、その周囲が外殻を形成する上部カバー１１と下部カバー１２によって覆われた構成とされている。このユニット本体１０を構成する図示省略のフレーム構造や仕切り壁等は、例えばアルミ合金材等の非磁性材料製とされることが望ましい。ユニット本体１０の内部には、少なくとも冷凍サイクルを構成するエバポレータ１３と、エバポレータ１３に対してバンボディ３内の空気を循環させるための複数のファン（ターボファン）１４が内蔵されている。
【００２７】
また、ユニット本体１０内には、後方側から前方側にかけて空気流通路１５が形成されており、その後方部位は、仕切り壁１６によってユニット厚さ方向に上下に仕切られた上下二層構造とされている。この上下二層部の下層は、空気吸込み流路１７とされ、その上層は、空気吹出し流路１８とされている。仕切り壁１６には、複数の開口１９が設けられており、この開口１９に対向して上記複数のファン１４が鉛直軸周りに回転駆動されるように配設され、空気吸込み流路１7側から開口１９を介して吸込んだ空気を空気吹出し流路１８側へと吹出すように構成されている。
【００２８】
さらに、空気流通路１５の前方部位には、空気流通路１５を横断するようにプレートフィンチューブタイプのエバポレータ１３が配設され、上記ファン１４から空気吹出し流路１８に吹出された空気が流通されるように構成されている。このエバポレータ１３の下部には、エバポレータ１３から滴下されるドレン水を受ける皿状のドレンパン２０が配設されている。
【００２９】
ユニット本体１０の上部カバー１１は、主にユニット本体１０の上面を覆う形状とされたものであり、また、下部カバー１２は、主にユニット本体１０の下面、後面、前面および左右側面を覆うように、所謂バスタブ形状のカバー体とされている。このバスタブ形状とされた下部カバー１２は、非磁性材料である樹脂材製もしくはアルミ合金材製薄板の外表面に発泡ポリエチレン等のインシュレーション１２Ｄが貼り付けられた断熱性のカバー体とされており、ユニット本体１０の内部で発生し、下部カバー１２上に滴下する結露水を受止める機能を備えたものである。
【００３０】
この下部カバー１２の後面１２Ｃには、バンボディ３内の空気をユニット本体１０内の空気吸込み流路１７に吸込むための多数の空気吸込み口２１が開口された構成とされている。また、下部カバー１２の前面１２Ｂ側の上部には、エバポレータ１３を通過して冷却された空気をバンボディ３内に吹出すための横長の空気吹出し口２２が、上部カバー１１との間に形成されている。
【００３１】
下部カバー１２は、上記の如く、バスタブ形状とされ、ユニット本体１０の下面全体を覆っているものであり、その下面１２Ａと前面１２Ｂおよび後面１２Ｃの３面でユニット本体１０側に固定されている。下部カバー１２の下面１２Ａは、図４および図５に示されるように、下部カバー１２の下面１２Ａの内面側中央部の所要箇所（本実施形態では、横長方向に沿う３箇所）に固定配置された複数個の磁石２３と、この磁石２３と対向するユニット本体１０の下面側の対応位置にブラケット２５およびネジ２６を介して固定配置された金属製受板２７との磁気吸着により、ユニット本体１０側に固定されるように構成されている。
【００３２】
磁石２３としては、低温減磁や高温減磁が発生しないネオジムタイプやフェライトタイプの磁石、電力を利用した電磁石等を選択して使用することができる。また、この磁石２３として、図６（Ａ）ないし（Ｃ）に示されるように、ポリアセタール樹脂（ＰＯＭ）等の熱伝導率の小さい樹脂材２４で被覆された磁石を用いることが望ましい。一方、金属製受板２７としては、ＳＳ材等に比べて熱伝導率の低いＳＵＳ材（例えば、ＳＵＳ４３０）が用いられており、この金属製受板２７と磁石２３との磁気吸着によって、下部カバー１２の下面１２Ａをその内面側でユニット本体１０の下面側に固定することが可能な構成とされている。
【００３３】
また、下部カバー１２の前面１２Ｂおよび後面１２Ｃは、図４に示されるように、ユニット本体１０の前方部および後方部に設けられているブラケット２８，２９に対し、下部カバー１２の前面１２Ｂおよび後面１２Ｃの内面側からその内側に延長されているステー３０，３１およびボルト３２，３３を介してネジ止め固定されている。これにより、下部カバー１２の外表面側には、ボルトやネジ等の固定手段がいっさい突出されない構成とされている。
【００３４】
斯くして、本実施形態によれば、以下の作用効果が奏される。
冷凍車両１に搭載されている輸送用冷凍装置４が運転されると、エバポレータユニット５のエバポレータ１３には、公知の如く低温低圧の冷媒が循環される。同時にファン１４が駆動されることにより、バンボディ３内の空気がエバポレータユニット５内の空気流通路１５に循環される。この空気と上記冷媒とがエバポレータ１３で熱交換されて空気が冷却され、空気吹出し口２２からバンボディ３内に吹出されることによって、バンボディ３内の冷却（保冷）に供される。この間、エバポレータユニット５のユニット本体１０も冷却されることになる。
【００３５】
一方、冷凍車両１によって荷物の集配送を行うとき、その都度、バンボディ３の扉が開閉されることになり、湿気を含んだ外気がバンボティ３内に流入され、その空気がエバポレータユニット５のユニット本体１０の外殻を構成している下部カバー１２の外表面等と接触される。しかしながら、本実施形態では、下部カバー１２が以下のような構成とされているため、カバー外表面側での結露の発生を抑制することができるとともに、万が一結露したとしても、それが積荷上に滴下し、積荷を損傷する事態を防止することができる。
【００３６】
（１）下部カバー１２は、樹脂製もしくは下面に発泡ポリエチレン等のインシュレーション１２Ｄが貼り付けられて断熱性の高い構成とされている。
（２）下部カバー１２は、熱伝導率の低い樹脂材２４で被覆された磁石２３と熱伝導率の低いＳＵＳ材製の金属製受板２７との磁気吸着によって、その下面が内面側でユニット本体１０側に固定されており、外表面側への突起物がなくされている。
（３）下部カバー１２の前面１２Ｂ側および後面１２Ｃ側も、下部カバー１２の内面側にて、ステー３０，３１およびボルト３２，３３を介してユニット本体１０側に固定されており、下部カバー１２の前面１２Ａおよび後面１２Ｃにおいても、外表面側への突起物がなくされている。
【００３７】
このため、下部カバー１２の外表面での結露自体を抑制することができる上、万が一結露が発生したとしても、カバー外表面にボルト頭部等の突起物がなく、結露水がボルト頭部等の突起物に集まり、それが積荷上に滴下する事態を防ぐことができる。従って、積荷を結露水から保護することができるとともに、下部カバー１２の外表面からボルトやネジ等をなくすることにより、外観の見映えを向上することができる。また、磁石２３による固定のため、経時劣化で下部カバー１２が脱落したり、想定以上の振動、衝撃等で吸着面が浮き上っても、再吸着されることから離脱したままとなったりする心配がなく、下部カバー１２を確実に固定でき、固定構造としての信頼性を確保することができる。
【００３８】
しかも、下部カバー１２の前面１２Ｂおよび後面１２Ｃをユニット本体１０側に固定するためのボルト３２，３３が、下部カバー１２の内面側に配置されているため、仮にボルト３２，３３の頭部等で結露が発生したとしても、その結露水を下部カバー１２の内面側に滴下させて受止めることができる。これによって、下部カバー１２をユニット本位１０側に対して確実に固定することができるとともに、下部カバー１２の外表面側での結露の発生やその結露水の積荷上への滴下を確実に防止することができる。
【００３９】
また、磁石２３に磁気吸着される側の金属製受板２７が、ＳＳ材等に対して熱伝導率の低いＳＵＳ材製とされているので、下部カバー１２を熱伝導率の低いＳＵＳ材製の金属製受板２７を介してユニット本体１０側に固定することができ、ユニット本体１０側から下部カバー１２側への熱伝導を遮断し、抑制することができるとともに、錆びの発生を抑制することができる。更に、上記磁石２３が、熱伝導率の低いＰＯＭ等の樹脂材２４により被覆された構成とされているので、下部カバー１２を熱伝導率の低い樹脂材２４で被覆された磁石２３を介してユニット本体１０側に固定することができ、これによってもユニット本体１０側から下部カバー１２側への熱伝導を遮断し、抑制することができる。
【００４０】
その結果、下部カバー１２に対する断熱性を高めることができ、下部カバー１２の外表面での結露の発生を一層抑制することが可能となる。また、下部カバー１２自体の断熱特性を低下させることが可能となるため、コスト低減を図ることができるとともに、錆の発生を防止して商品性の向上を図ることができる。
【００４１】
さらに、本実施形態においては、ユニット本体１０を構成しているフレーム、仕切り壁等の構成部材が、金属製受板２７を除いて、例えばアルミ合金材等の非磁性材料製とされている。このため、下部カバー１２側に設けられている磁石２３が、下部カバー１２の着脱時に金属製受板２７以外の部分に対し磁気吸着されてしまうことがなく、従って、下部カバー１２を着脱する際において、その位置決めを容易化することができる。
【００４２】
また、下部カバー１２の外表面には、インシュレーション１２Ｄが貼り付けられているため、下部カバー１２側に磁石を配設したとしても、インシュレーション１２Ｄによって磁石２３と下部カバー１２の外表面との間の距離を確保し、下部カバー１２の外表面側での磁力を低下させることが可能となり、これによって、下部カバー１２の外表面に対する鉄粉等のゴミの磁気吸着を防止することができるとともに、万が一ゴミが吸着された場合でも、その清掃を容易化することができる。
【００４３】
［第２実施形態］
次に、本発明の第２実施形態について、図７および図８を用いて説明する。
本実施形態は、上記した第１実施形態に対して、下部カバー１２の前面１２Ｂおよび後面１２Ｃのユニット本体１０に対する固定構造が異なる。その他の点については、第１実施形態と同様であるので説明は省略する。
本実施形態においては、下部カバー１２の前面１２Ｂ側および後面１２Ｃ側も、磁石を介した磁気吸着によって、ユニット本体１０側に固定される構成とされている。
【００４４】
つまり、図７および図８に示されるように、下部カバー１２の前面１２Ｂおよび後面１２Ｃの内面側の所定箇所に、第２の磁石３５および第３の磁石３６を固定配置し、この第２および第３の磁石３５，３６に対向するユニット本体１０側の対応位置に、第２および第３の磁石３５，３６に対して磁気吸着可能な金属製受板３７，３８を固定配置した構成とされている。
【００４５】
また、金属製受板３７，３８は、ＳＳ材等に比べて熱伝導率の低いＳＵＳ材製とされるとともに、磁石３５，３６の吸着面が振動衝撃等により金属製受板３７，３８から浮き上っても離脱せずに再吸着されるように、上向面または上向きのストッパー面を備えた受板兼ストッパー３７，３８とされている。
【００４６】
このように、下面１２Ａが磁石２３と金属製受板２７を介して固定されている下部カバー１２の前面１２Ｂおよび後面１２Ｃを、下部カバー１２の内面側の所定箇所でユニット本体１０側に第２および第３の磁石３５，３６を介して磁気吸着により固定した構成とすることによって、下部カバー１２を下面１２Ａ、前面１２Ｂおよび後面１２Ｃの３面でユニット本体１０側にしっかりと固定することができ、しかも下部カバー１２を磁石２３および第２、第３の磁石３５，３６の磁気吸着のみによって固定できることから、下部カバー１２の固定をボルトレス化することができる。従って、下部カバー１２のメンテナンス時の着脱等を工具無しで行うことができるとともに、下部カバー１２の外表面側での結露の発生やその結露水の積荷上への滴下を確実に防止することができる。
【００４７】
また、金属製受板３７，３８が熱伝導率の低いＳＵＳ材製の受板兼ストッパーとされているため、下部カバー１２に想定以上の振動、衝撃等が加わることにより、万が一第２および第３の磁石３５，３６の吸着面が浮き上ったとしても、その磁石３５，３６を受板兼ストッパーにより受け止めて再吸着させることができるとともに、ユニット本体１０側から下部カバー１２側への熱伝導を抑制することができる。従って、下部カバー１２をユニット本体１０側に磁石の吸着力のみで確実に固定することができ、ボルトレス化することができるとともに、下部カバー１２に対する断熱性を高め、下部カバー１２の外表面側での結露の発生を抑えることができる。
【００４８】
さらに、本実施形態においても、ユニット本体１０を構成しているフレーム、仕切り壁等の部材が、金属製受板（受板兼ストッパー）３７，３８を除いて、例えばアルミ合金材等の非磁性材料製とされているため、下部カバー１２側に固定されている磁石３５，３６が、下部カバー１２の着脱時に金属製受板（受板兼ストッパー）３７，３８以外の部分に対して磁気吸着されてしまうことがなく、下部カバー１２を着脱する際において、その位置決めを容易化することができる。
【００４９】
なお、本発明は、上記実施形態にかかる発明に限定されるものではなく、その要旨を逸脱しない範囲において、適宜変形が可能である。例えば、上記実施形態では、ファン１４の下流側にエバポレータ１３を配設した、所謂プッシャー型のエバポレータユニットについて説明したが、ファン１４の上流側にエバポレータ１３を配設した、プラー型のエバポレータユニットにも同様に適用できることはもちろんである。
【００５０】
また、上記実施形態では、下部カバー１２側に対して磁石２３および第２、第３の磁石３５，３６を固定配置し、これと対向するユニット本体１０側の対応位置に対して金属製受板２７および３７，３８を固定配置した例について説明したが、逆の構成、すなわち下部カバー１２側に対して金属製受板を固定配置し、ユニット本体１０側に対して磁石を固定配置した構成としてもよい。この場合、下部カバー１２は、非磁性材料である樹脂材製もしくはアルミ合金材製の薄板とされているため、金属製受板２７および３７，３８以外の部分が磁石２３および第２、第３の磁石３５，３６に磁気吸着されることがなく、下部カバー１２を着脱する際の位置決めを容易化することができる。
【符号の説明】
【００５１】
１  冷凍車両
４  輸送用冷凍装置
５  エバポレータユニット
１０  ユニット本体
１２  下部カバー
１２Ａ  下面
１２Ｂ  前面
１２Ｃ  後面
１２Ｄ  インシュレーション
１３  エバポレータ
１４  ファン
２３  磁石
２４  樹脂材
２７  金属製受板
３０，３１  ステー
３２，３３  ボルト
３５  第２の磁石
３６  第３の磁石
３７，３８  金属製受板（受板兼ストッパー）
【図１】
0005738019.tif 000002
【図２】
0005738019.tif 000003
【図３】
0005738019.tif 000004
【図４】
0005738019.tif 000005
【図５】
0005738019.tif 000006
【図６】
0005738019.tif 000007
【図７】
0005738019.tif 000008
【図８】
0005738019.tif 000009